【手続補正書】
【提出日】平成25年10月28日(2013.10.28)
【手続補正１】
【補正対象書類名】特許請求の範囲
【補正対象項目名】全文
【補正方法】変更
【補正の内容】
【特許請求の範囲】
【請求項１】
燃焼室とのインターフェースにて燃料を導入および点火する噴射器であって、
噴射器本体であって、この噴射器本体内に燃料を収容するようになっている基部と、この基部と対向し、前記燃焼室近隣に配置されて燃料を前記燃焼室中に噴射するようになっているノズル部とを含む噴射器本体と、
この噴射器本体を通じて延在する燃料流路と、
前記基部から前記ノズル部へと延在する点火ロッドと、
この点火ロッドを覆って同軸に配置され、前記基部から少なくとも部分的に前記ノズル部内へと延在する点火絶縁体と、
この点火絶縁体を覆って同軸に配置され、開位置と閉位置との間を操作可能である弁と
を具えたことを特徴とする噴射器。
【請求項２】
前記基部によって支えられる弁操作アセンブリーをさらに含み、この弁操作アセンブリーは、
前記弁の少なくとも一部を包囲し、第１の位置と第２の位置との間で移動可能であるドライバーであって、このドライバーが前記第１の位置にある場合、前記弁は前記閉位置に保持され、当該ドライバーが前記第２の位置へと移動すると、前記弁を前記開位置へと係合および移動させるドライバーと、
このドライバーを作動させて前記第１の位置と前記第２の位置との間で移動させるようになっている力生成器と、
この力生成器を選択的に作動させるようになっているコントローラーと
を具えたことを特徴とする請求項１に記載の噴射器。
【請求項３】
燃料入口をさらに含み、この燃料入口は、燃料を前記力生成器を介して前記基部内へと導入するように、前記力生成器に流体接続されることを特徴とする請求項２に記載の噴射器。
【請求項４】
前記弁は、この弁が前記閉位置にある場合に燃料の流れを停止させるように形成された密閉端部と、この密閉端部に対向し、かつ停止部を有する第１の端部とを含み、前記ドライバーは、当該ドライバーが前記第１の位置と前記第２の位置との間を移動する場合、前記停止部と接触することを特徴とする請求項２に記載の噴射器。
【請求項５】
前記ドライバーは、前記停止部との接触前に所定の距離を移動することを特徴とする請求項４に記載の噴射器。
【請求項６】
前記点火ロッドを通じて延在する１つ以上の光ファイバーをさらに含み、この１つ以上の光ファイバーは、前記噴射器へ動作可能に連結されたコントローラーへ前記燃焼室からの燃焼室情報を送信するようになっていることを特徴とする請求項１に記載の噴射器。
【請求項７】
前記ノズル部に配されて前記燃焼室内の温度を検出する温度センサーをさらに具えたことを特徴とする請求項１に記載の噴射器。
【請求項８】
前記点火ロッドは前記ノズル部に配置された１つ以上の点火機能部を含み、この１つ以上の点火機能部は、前記ノズル部から出て行く燃料を点火するための点火イベントを発生させるようになっていることを特徴とする請求項１に記載の噴射器。
【請求項９】
前記１つ以上の点火機能部は、前記点火ロッドの少なくとも一部の周囲にらせん状に巻かれることを特徴とする請求項８に記載の噴射器。
【請求項１０】
前記弁は、前記燃焼室との前記インターフェースに隣接して前記ノズル部に配置された密閉端部を含み、この密閉端部は前記弁が前記閉位置にある場合に燃料の流れを停止させるように形成されていることを特徴とする請求項１に記載の噴射器。
【請求項１１】
コントローラーをさらに含み、このコントローラーは、
前記点火絶縁体に対する前記弁の移動を選択的に制御するステップと、
前記点火ロッドによって発生された点火イベントを選択的に制御するステップと
を行うことを特徴とする請求項１に記載の噴射器。
【請求項１２】
前記弁は第１の長さを有し、前記点火絶縁体は、前記第１の長さよりも長い第２の長さを有し、前記点火ロッドは、前記第２の長さよりも長い第３の長さを有することを特徴とする請求項１に記載の噴射器。
【請求項１３】
前記弁は、外側方向に開口する弁であり、前記弁が前記閉位置から前記開位置へと移動した場合に前記燃焼室に向かって移動することを特徴とする請求項１に記載の噴射器。
【請求項１４】
前記弁は、内側方向に開口する弁であり、前記弁が前記閉位置から前記開位置へと移動した場合に前記燃焼室から離隔方向に移動することを特徴とする請求項１に記載の噴射器。
【請求項１５】
前記本体の少なくとも一部を通じて延在する本体絶縁体をさらに具え、前記燃料流路は、前記本体を通じて前記弁と前記本体絶縁体との間に延在することを特徴とする請求項１に記載の噴射器。
【請求項１６】
燃焼室内へ燃料を導入する噴射器であって、
第２の端部に対向する第１の端部を有し、前記第２の端部が前記燃焼室のインターフェースに隣接して配置されるようになっている本体と、
この本体を通じて前記第１の端部から前記第２の端部へと延在し、点火エネルギーを伝送して点火イベントを発生させるようになっている点火導体と、
この点火導体に沿って長手方向に延び、当該点火導体の少なくとも一部を包囲する絶縁体と、
前記第１の端部と前記第２の端部との間で前記絶縁体の少なくとも一部に沿って長手方向に延在する弁であって、前記絶縁体に沿って開位置と閉位置との間を移動可能であって前記絶縁体の少なくとも一部を囲む弁と
を具えたことを特徴とする噴射器。
【請求項１７】
前記点火導体は、弁座を有すると共に前記燃焼室のインターフェースに隣接して配置された拡張端部を含み、
前記弁は、この弁が前記開位置にある場合に前記弁座から間隔を空けられる密閉端部を含み、この密閉端部は前記弁が前記閉位置にある場合に前記弁座に接触することを特徴とする請求項１６に記載の噴射器。
【請求項１８】
前記弁の前記密閉端部が前記弁の拡大端部を含み、この弁の拡大端部は第１の直径を有し、この第１の直径が前記弁の第２の直径よりも大きいことを特徴とする請求項１７に記載の噴射器。
【請求項１９】
前記燃焼室の前記インターフェースに隣接して配置され、前記点火導体によって支えられる１つ以上の点火機能部をさらに具え、この１つ以上の点火機能部は、前記弁の前記密閉端部を越えて通過する燃料を点火するための点火イベントを発生させるようになっていることを特徴とする請求項１７に記載の噴射器。
【請求項２０】
前記絶縁体は第１の絶縁体であり、前記噴射器は、
前記本体に沿って長手方向に延び、前記弁から間隔を空けて径方向に配置される第２の絶縁体と、
この第２の絶縁体と前記弁との間で前記第１の端部から前記第２の端部へと延在する環状燃料流路と
をさらに具えたことを特徴とする請求項１６に記載の噴射器。
【請求項２１】
前記弁の周囲を囲んで同軸に配置される燃料流路をさらに具えたことを特徴とする請求項１６に記載の噴射器。
【請求項２２】
前記第１の端部から前記第２の端部へと延びて前記燃焼室からの燃焼室情報を検出および送信するようになっている１つ以上の光センサーをさらに具えたことを特徴とする請求項１６に記載の噴射器。
【請求項２３】
前記１つ以上の光センサーは、前記点火導体を通じて長手方向に延在していることを特徴とする請求項２２に記載の噴射器。
【請求項２４】
前記弁が基部をさらに具え、前記噴射器は、
前記第１の端部に配置されて第１の位置と第２の位置との間で移動可能であるアクチュエーターであって、このアクチュエーターが前記第１の位置から前記第２の位置へと移動すると、当該アクチュエーターは前記弁の前記基部と接触し、前記弁を前記閉位置から前記開位置に向かって移動させるアクチュエーターと、
このアクチュエーターに隣接する前記第１の端部に配置され、前記アクチュエーターを起動して前記第１の位置と前記第２の位置との間で移動させるようになっている力生成器と
をさらに具えたことを特徴とする請求項１６に記載の噴射器。